(57)【要約】【課題】表示体が表示する像の視認性を高めることを可能とした表示体を提供する。【解決手段】光が入射するとともに入射した光を反射する凹凸面１０Ｓを備え、凹凸面１０Ｓは、第１領域１１と第２領域１２とを含む。第１領域１１と第２領域１２とは、それぞれ複数の面要素を含み、複数の面要素は、第１面要素１１ａと第２面要素１２ａとを含む。各第１面要素１１ａは、曲面部と平面部とを含むとともに、第１面要素１１ａにおける平面部の位置によって、平面部が所定の定点に向けて光を射出するように構成される。各第２面要素１２ａは、曲面部を含むとともに、第２面要素１２ａにおける曲面部の位置によって、第２面要素１２ａの曲面部が定点に向けて光を射出するように構成される。第１領域１１に含まれる面要素は第１面要素１１ａであり、第２領域１２に含まれる面要素は第２面要素１２ａである。【選択図】図２
2018004944.tif 000002
【特許請求の範囲】
【請求項１】
光が入射するとともに入射した光を反射する凹凸面を備え、
前記凹凸面は、第１領域と第２領域とを含み、
前記第１領域と前記第２領域とは、それぞれ複数の面要素を含み、
前記複数の面要素は、第１面要素と第２面要素とを含み、
前記各第１面要素は、曲面部と平面部とを含むとともに、前記第１面要素における前記平面部の位置によって、前記平面部が所定の定点に向けて光を射出するように構成され、
前記各第２面要素は、曲面部を含むとともに、前記第２面要素における前記曲面部の位置によって、前記第２面要素の前記曲面部が前記定点に向けて光を射出するように構成され、
前記第１領域が含む前記面要素は、前記第１面要素であり、
前記第２領域が含む前記面要素は、前記第２面要素である
表示体。
【請求項２】
前記第１面要素は、合成用平面部をさらに含み、
前記第１面要素は、前記第１面要素における前記合成用平面部の位置によって、前記定点とは異なる合成用定点に向けて前記合成用平面部が光を射出するように構成され、
前記第２面要素は、合成用平面部をさらに含み、
前記第２面要素は、前記第２面要素における前記合成用平面部の位置によって、前記第２面要素の前記合成用平面部が前記合成用定点に向けて光を射出するように構成されている
請求項１に記載の表示体。
【請求項３】
前記第１面要素の前記合成用平面部および前記第２面要素の前記合成用平面部は、前記各合成用平面部が有する表面粗さによって、前記合成用定点に向けて散乱光を射出するように構成されている
請求項２に記載の表示体。
【請求項４】
前記定点は第１定点であり、
前記凹凸面は、前記凹凸面における位置が前記第１領域および前記第２領域とは異なるとともに、前記複数の面要素を含む第３領域をさらに含み、
前記複数の面要素は、第３面要素をさらに含み、
前記各第３面要素は、曲面部と平面部とを含み、
前記第３面要素は、前記第３面要素における前記平面部の位置によって、前記第１定点とは異なる第２定点に向けて前記第３面要素の前記平面部が光を射出するように構成され、
前記第３領域に含まれる前記面要素は、前記第３面要素であり、
前記各第２面要素は、前記第２面要素における前記曲面部の位置によって、前記第２面要素の前記曲面部が前記第２定点に向けて光を射出するように構成されている
請求項１から３のいずれか一項に記載の表示体。
【請求項５】
前記定点は第１定点であり、
前記凹凸面は、前記凹凸面における位置が前記第２領域とは異なるとともに、前記複数の面要素を含む第３領域であって、前記第３領域の一部が前記第１領域の一部と重なる前記第３領域をさらに含み、
前記複数の面要素は、第３面要素および第４面要素をさらに含み、
前記各第３面要素は、曲面部と平面部とを含み、
前記第３面要素は、前記第３面要素における前記平面部の位置によって、前記第１定点とは異なる第２定点に向けて前記第３面要素の前記平面部が光を射出するように構成され、
前記複数の第１面要素のうち、前記第３領域と重なる部分に位置する前記第１面要素が、第４面要素であり、
前記第４面要素において、前記平面部は第１平面部であり、
前記第４面要素は、第２平面部をさらに含み、
前記第４面要素は、前記第４面要素における前記第２平面部の位置によって、前記第２定点に向けて光を射出するように構成され、
前記第３領域のうち、前記第１領域とは重ならない部分に含まれる前記面要素は、前記第３面要素であり、
前記各第２面要素は、前記第２面要素における前記第２面要素の前記曲面部の位置によって、前記第２面要素の前記曲面部が前記第２定点に向けて光を射出するように構成されている
請求項１から３のいずれか一項に記載の表示体。
【請求項６】
前記第４面要素において、前記第１平面部と前記第２平面部との間に前記曲面部が位置している
請求項５に記載の表示体。
【発明の詳細な説明】
【技術分野】
【０００１】
本発明は、表示体に関する。
【背景技術】
【０００２】
複数の角錐を備える表示体が知られている。この表示体では、同一の形状を有した複数の角錐が、１つの平面に沿って互いに隣り合う角錐の間に隙間を有しない状態で規則的に並んでいる。１つの角錐が有する複数の面のうち、角錐が位置する平面に接する面を除く複数の面が、光を反射する反射面である。各反射面は、互いに異なる定点に向けて光を射出し、互いに異なる像を形成するための要素として機能する（例えば、特許文献１参照）。
【先行技術文献】
【特許文献】
【０００３】
【特許文献１】特表２０１５−５０５９７３号公報
【発明の概要】
【発明が解決しようとする課題】
【０００４】
ところで、表示体の観察者は、角錐における１つの面から射出される光と、他の面から射出される光との両方を視認することができる方向から表示体を観察する場合がある。角錐では、各反射面から定点に向けて射出される光の光量の差が小さいため、この場合には、観察者は、２つの光が混合された光を視認する。これにより、観察者は、１つの面から射出される光を含む像と、他の面から射出される光を含む像とを各別に認識することが難しく、結果として、各像の視認性が低くなる。
本発明は、表示体が表示する像の視認性を高めることを可能とした表示体を提供することを目的とする。
【課題を解決するための手段】
【０００５】
上記課題を解決するための表示体は、光が入射するとともに入射した光を反射する凹凸面を備え、前記凹凸面は、第１領域と第２領域とを含み、前記第１領域と前記第２領域とは、それぞれ複数の面要素を含み、前記複数の面要素は、第１面要素と第２面要素とを含み、前記各第１面要素は、曲面部と平面部とを含むとともに、前記第１面要素における前記平面部の位置によって、前記平面部が所定の定点に向けて光を射出するように構成され、前記各第２面要素は、曲面部を含むとともに、前記第２面要素における前記曲面部の位置によって、前記第２面要素の前記曲面部が前記定点に向けて光を射出するように構成され、前記第１領域が含む前記面要素は、前記第１面要素であり、前記第２領域が含む前記面要素は、前記第２面要素である。
【０００６】
上記構成によれば、観察者が定点から表示体を観察するとき、第１面要素が所定の面積を有する平面部から光を射出する一方で、第２面要素は曲面部から光を射出する。そのため、第１領域における単位面積当たりの光量が、第２領域における単位面積当たりの光量よりも大きくなる。それゆえに、第１領域と第２領域とのコントラストによって、第１領域から射出された光が形成する像と、第２領域から射出された光が形成する像とが、互いに異なる像として認識されやすくなる。結果として、第１領域が形成する像と第２領域が形成する像であって、表示体が表示する像の視認性を高めることができる。
【０００７】
上記表示体において、前記第１面要素は、合成用平面部をさらに含み、前記第１面要素は、前記第１面要素における前記合成用平面部の位置によって、前記定点とは異なる合成用定点に向けて前記合成用平面部が光を射出するように構成され、前記第２面要素は、合成用平面部をさらに含み、前記第２面要素は、前記第２面要素における前記合成用平面部の位置によって、前記第２面要素の前記合成用平面部が前記合成用定点に向けて光を射出するように構成されていてもよい。
【０００８】
上記構成によれば、観察者が、定点から表示体を視認したときには、表示体は、第１領域から射出される光の単位面積当たりの光量と、第２領域から射出される光の単位面積当たりの光量との差によって、第１領域が形成する像と第２領域が形成する像とを観察者に向けて表示することができる。これに対して、観察者が、合成用定点から表示体を視認したときには、第１領域から射出される光と、第２領域から射出される光との単位面積当たりの光量の差が小さくなるため、表示体は、第１領域から射出された光と第２領域から射出された光とが合成された１つの像を観察者に向けて表示することができる。それゆえに、表示体は、互いに異なる定点に向けて、互いに異なる像を表示することができる。
【０００９】
上記表示体において、前記第１面要素の前記合成用平面部および前記第２面要素の前記合成用平面部は、前記各合成用平面部が有する表面粗さによって、前記合成用定点に向けて散乱光を射出するように構成されていてもよい。
【００１０】
上記構成によれば、各合成用平面部から射出される光における射出角の範囲が広がる。そのため、観察者が表示体を観察するときの視認方向において、第１領域と第２領域とによって形成される１つの像を視認することのできる範囲を広げることができる。
【００１１】
上記表示体において、前記定点は第１定点であり、前記凹凸面は、前記凹凸面における位置が前記第１領域および前記第２領域とは異なるとともに、前記複数の面要素を含む第３領域をさらに含み、前記複数の面要素は、第３面要素をさらに含み、前記各第３面要素は、曲面部と平面部とを含み、前記第３面要素は、前記第３面要素における前記平面部の位置によって、前記第１定点とは異なる第２定点に向けて前記第３面要素の前記平面部が光を射出するように構成され、前記第３領域に含まれる前記面要素は、前記第３面要素であり、前記各第２面要素は、前記第２面要素における前記曲面部の位置によって、前記第２面要素の前記曲面部が前記第２定点に向けて光を射出するように構成されていてもよい。
【００１２】
上記構成によれば、表示体は、第１定点に向けて、第１領域から射出される光の単位面積当たりの光量と、第２領域から射出される光の単位面積当たりの光量との差によって、第１領域が形成する像と、第２領域が形成する像とを表示することができる。さらに、表示体は、第２定点に向けて、第３領域から射出される光の単位面積当たりの光量と、第２領域から射出される光の単位面積当たりの光量との差によって、第３領域が形成する像と、第１領域が形成する像とを表示することもできる。
【００１３】
上記表示体において、前記定点は第１定点であり、前記凹凸面は、前記凹凸面における位置が前記第２領域とは異なるとともに、前記複数の面要素を含む第３領域であって、前記第３領域の一部が前記第１領域の一部と重なる前記第３領域をさらに含み、前記複数の面要素は、第３面要素および第４面要素をさらに含み、前記各第３面要素は、曲面部と平面部とを含み、前記第３面要素は、前記第３面要素における前記平面部の位置によって、前記第１定点とは異なる第２定点に向けて前記第３面要素の前記平面部が光を射出するように構成され、前記複数の第１面要素のうち、前記第３領域と重なる部分に位置する前記第１面要素が、第４面要素であり、前記第４面要素において、前記平面部は第１平面部であり、前記第４面要素は、第２平面部をさらに含み、前記第４面要素は、前記第４面要素における前記第２平面部の位置によって、前記第２定点に向けて光を射出するように構成され、前記第３領域のうち、前記第１領域とは重ならない部分に含まれる前記面要素は、前記第３面要素であり、前記各第２面要素は、前記第２面要素における前記第２面要素の前記曲面部の位置によって、前記第２面要素の前記曲面部が前記第２定点に向けて光を射出するように構成されていてもよい。
【００１４】
上記構成によれば、１つの第４面要素を用いて、第１定点に向けて射出される光によって形成される像の一部と、第２定点に向けて射出される光によって形成される像の一部とを形成させることができる。
【００１５】
上記表示体において、前記第４面要素において、前記第１平面部と前記第２平面部との間に前記曲面部が位置していることが好ましい。
【００１６】
上記構成によれば、第１平面部と第２平面部とが接していないため、第１平面部と第２平面部とが接する構成と比べて、第１平面部から射出された光と、第２平面部から射出された光との両方が、観察者によって同時に視認される可能性を低くすることができる。それゆえに、第１平面部が形成する像と、第２平面部が形成する像との混合が抑えられ、第１平面部が形成する像と、第２平面部が形成する像との視認性をそれぞれ高めることができる。
【発明の効果】
【００１７】
本発明によれば、表示体が表示する像の視認性を高めることができる。
【図面の簡単な説明】
【００１８】
【図１】第１実施形態における表示体の平面構造を示す平面図。
【図２】図１のＩ−Ｉ線に沿う表示体の一部断面構造を示す部分断面図。
【図３】表示体が含む第１凸部の斜視構造を示す斜視図。
【図４】表示体が含む第２凸部の斜視構造を示す斜視図。
【図５】図１の領域Ａに含まれる凹凸構造層の一部における平面構造を拡大して示す部分拡大平面図。
【図６】表示体の作用を説明するための作用図。
【図７】第１面要素の一例を上面視した平面構造を示す平面図。
【図８】図７のＩＩ−ＩＩ線に沿う第１凸部の断面構造の一例を示す断面図。
【図９】図７のＩＩ−ＩＩ線に沿う第１凸部の断面構造の一例を示す断面図。
【図１０】第１面要素の一例を上面視した平面構造を示す平面図。
【図１１】図１０のＩＩＩ−ＩＩＩ線に沿う第１凸部の断面構造の一例を示す断面図。
【図１２】変形例における図１のＩ−Ｉ線に沿う表示体の一部断面構造を示す部分断面図。
【図１３】第２実施形態における表示体が含む第１凸部の斜視構造を示す斜視図。
【図１４】表示体が含む第２凸部の斜視構造を示す斜視図。
【図１５】表示体の作用を説明するための作用図。
【図１６】表示体の作用を説明するための作用図。
【図１７】第３実施形態における表示体の平面構造を示す平面図。
【図１８】表示体が含む第１凸部を上面視した平面構造を示す平面図。
【図１９】表示体が含む第３凸部を上面視した平面構造を示す平面図。
【図２０】表示体が含む第４凸部を上面視した平面構造を示す平面図。
【図２１】表示体が含む第５凸部を上面視した平面構造を示す平面図。
【図２２】表示体の作用を説明するための作用図。
【図２３】表示体の作用を説明するための作用図。
【図２４】表示体の作用を説明するための作用図。
【図２５】表示体の作用を説明するための作用図。
【図２６】本発明の表示体を具体化した第４実施形態における表示体の平面構造を示す平面図。
【図２７】表示体が含む第１凸部を上面視した平面構造を示す平面図。
【図２８】表示体が含む第３凸部を上面視した平面構造を示す平面図。
【図２９】表示体が含む第４凸部を上面視した平面構造を示す平面図。
【図３０】表示体が含む第５凸部を上面視した平面構造を示す平面図。
【図３１】表示体が含む第６凸部を上面視した平面構造を示す平面図。
【図３２】表示体の作用を説明するための作用図。
【図３３】表示体の作用を説明するための作用図。
【図３４】表示体の作用を説明するための作用図。
【図３５】表示体の作用を説明するための作用図。
【発明を実施するための形態】
【００１９】
［第１実施形態］
図１から図６を参照して、表示体の第１実施形態を説明する。以下では、表示体の構成、表示体が含む面要素の構成、表示体の作用、および、表示体の製造方法を順番に説明する。
【００２０】
［表示体の構成］
図１および図２を参照して表示体の構成を説明する。
図１が示すように、表示体１０は、光が入射するとともに入射した光を反射する凹凸面１０Ｓを備えている。凹凸面１０Ｓは、第１領域１１と第２領域１２とを含んでいる。第１領域１１と第２領域１２とは、それぞれ複数の面要素を含み、複数の面要素は、第１面要素と第２面要素とを含んでいる。表示体１０において、第１領域１１が含む面要素は、第１面要素であり、第２領域１２が含む面要素は、第２面要素である。
【００２１】
表示体１０において、凹凸面１０Ｓが光の入射する入射面である。凹凸面１０Ｓは、凹凸面１０Ｓに入射した光を表示体１０に対して光の入射する側に反射し、表示体１０に対して光の入射する側が表示体１０の観察側である。凹凸面１０Ｓは、第１領域１１と第２領域１２とから構成されている。第１領域１１の含む全ての面要素が第１面要素であり、第２領域１２の含む全ての面要素が第２面要素である。
【００２２】
凹凸面１０Ｓのうち、第１領域１１は、第１領域１１にて反射した光によって、所定の形状を有した像を表示する領域であり、第２領域１２は、第１領域１１の周りを囲み、第２領域１２にて反射した光によって、第１領域１１が表示する像の背景となる像を表示する領域である。
【００２３】
第１領域１１は、第１領域１１が有する形状とほぼ同一の形状を有した像を第１領域１１から射出する光によって形成する。第１領域７１は、人の笑顔を模式的に表現する形状であって、円形状を有する領域を含んでいる。
【００２４】
図２が示すように、表示体１０は、基材２１、凹凸構造層２２、および、反射層２３を備え、基材２１、凹凸構造層２２、および、反射層２３がこの順に積み重なっている。基材２１は板状を有し、基材２１の形成材料は、例えば樹脂である。
【００２５】
凹凸構造層２２は、基材２１が有する１つの面上に位置し、凹凸構造層２２のうち、基材２１に接する面とは反対側の面が凹凸面２２Ｓである。凹凸構造層２２は、複数の第１凸部２２ａと、複数の第２凸部２２ｂとを備え、各凸部は、凹凸構造層２２のうち、基材２１に接する面とは反対側に頂点を有している。第１凸部２２ａと第２凸部２２ｂとは互いに異なる形状を有している。凹凸構造層２２の形成材料は、例えば樹脂である。
【００２６】
反射層２３は、凹凸構造層２２の凹凸面２２Ｓを覆っている。反射層２３のうち、凹凸構造層２２に接する面とは反対側の面が、表示体１０の凹凸面１０Ｓである。反射層２３は、凹凸構造層２２の凹凸面２２Ｓに倣う形状を有しているため、反射層２３が有する凹凸面１０Ｓの形状は、凹凸構造層２２が有する凹凸面２２Ｓの形状にほぼ等しい。
【００２７】
反射層２３の凹凸面１０Ｓのうち、表示体１０の厚さ方向において、複数の第１凸部２２ａと重なる部分が第１領域１１であり、複数の第２凸部２２ｂと重なる部分が第２領域１２である。反射層２３の凹凸面１０Ｓのうち、表示体１０の厚さ方向において、１つの凸部と重なる部分が面要素であり、複数の面要素のうち、第１凸部２２ａと重なる面要素が第１面要素１１ａであり、第２凸部２２ｂと重なる部分が第２面要素１２ａである。反射層２３の形成材料は、例えば、金属および金属化合物のいずれかであればよい。
【００２８】
［面要素の構成］
図３から図５を参照して面要素の構成を説明する。上述したように、表示体１０は、凹凸構造層２２と反射層２３とを備える構成であり、反射層２３の表面が表示体１０の凹凸面１０Ｓではある。ただし、反射層２３の厚さは、数ｎｍから数十ｎｍ程度であり、かつ、反射層２３の形状は、凹凸構造層２２の凹凸面２２Ｓに倣う形状であるため、凹凸構造層２２の凹凸面２２Ｓが有する形状を表示体１０の凹凸面１０Ｓが有する形状であると見なすことができる。そのため、以下では、凹凸構造層２２を用いて表示体１０の面要素の構成を説明する。
【００２９】
図３は、凹凸構造層２２が備える第１凸部２２ａの斜視構造を示している。凹凸構造層２２において、各第１凸部２２ａは、他の全ての第１凸部２２ａと互いに同一の形状を有している。
【００３０】
図３が示すように、第１凸部２２ａの表面が第１面要素３１である。第１面要素３１は、曲面部３１ａと平面部３１ｂとを含むとともに、第１面要素３１における平面部３１ｂの位置によって、平面部３１ｂが所定の定点に向けて光を射出するように構成されている。
【００３１】
第１面要素３１は、１つの曲面部３１ａと１つの平面部３１ｂとから構成されている。第１面要素３１は、仮想的な円錐面Ｃに基づく形状を有し、頂点３１ｃを有している。円錐面Ｃは頂点を有し、円錐面Ｃにおける頂点とは反対側の端部である底部は円環状を有している。
【００３２】
第１面要素３１のうち、平面部３１ｂは、円錐面Ｃの頂点、すなわち第１面要素３１の頂点３１ｃと、円錐面Ｃの底部上の任意の２点とを通る面である。第１面要素３１の頂点３１ｃと底部上の各点との間の距離が底部上の２点間で互いに等しく、それによって、平面部３１ｂは、二等辺三角形状を有している。
【００３３】
なお、第１凸部２２ａの頂点３１ｃと底部上の各点との間の距離は、底部上の２点間で互いに異なってもよく、平面部３１ｂの面積は、頂点３１ｃと底部上の各点との間の距離によって定まる。また、平面部３１ｂと、円錐面Ｃの底部を含む平面とが形成する角度が、平面部３１ｂの傾斜角θである。
【００３４】
平面部３１ｂの向く方向は、平面部３１ｂの対向する方向である。頂点３１ｃを通り、かつ、凹凸面１０Ｓの厚さ方向と平行な方向に沿う直線が回転軸Ｒである。頂点３１ｃと対向する方向から見たとき、平面部３１ｂの向く方向は、回転軸Ｒの周方向において、頂点３１ｃと平面部３１ｂの底辺とを通る直線が延びる方向である。
【００３５】
第１面要素３１の曲面部３１ａは、円錐面Ｃの一部に倣う形状を有している。回転軸Ｒの周方向において、円錐面Ｃのうち、平面部３１ｂを除く部分が、曲面部３１ａである。
【００３６】
なお、屋内において表示体１０を水平な台に配置し、かつ、天井に取り付けられた蛍光灯の平行光によって表示体１０を観察する場合には、傾斜角θは、５度以上４５度未満であることが好ましい。
【００３７】
表示体１０の厚さ方向と平行な方向から表示体１０の凹凸面１０Ｓに光が入射するとき、言い換えれば、凹凸面１０Ｓが広がる二次元平面に対する法線方向から凹凸面１０Ｓに光が入射するとき、平面部３１ｂの傾斜角θが小さいほど、反射光の射出方向と、入射光の入射方向とが形成する角度が小さくなる。表示体１０の観察者は、表示体１０を水平な台に配置した場合にも、凹凸面１０Ｓが広がる二次元平面に対する法線方向からではなく、法線方向と所定の角度を形成する方向から表示体１０を観察することがある。そのため、平面部３１ｂの傾斜角θが小さすぎると、平面部３１ｂから射出される光は、観察者によって視認されにくくなる。
【００３８】
一方で、平面部３１ｂの傾斜角θが大きすぎると、平面部３１ｂに入射した光は、表示体１０の基材２１に向けて射出され、凹凸構造層２２などによって反射される場合がある。そのため、平面部３１ｂにおいて反射された光が、表示体１０の外部に射出されても、光の射出方向が観察者に向けた方向でなかったり、射出された光の強度が観察者によって視認されにくい程度に低められたりする。
この点で、傾斜角θが５度以上４５度以下であれば、平面部３１ｂから射出された光が、表示体１０の観察者によって視認されやすくなる。
【００３９】
図４は、凹凸構造層２２が備える第２凸部２２ｂの斜視構造を示している。各第２凸部２２ｂは、他の全ての第２凸部２２ｂと互いに同一の形状を有している。
図４が示すように、第２凸部２２ｂの表面が第２面要素３２である。第２面要素３２は、曲面部を含むとともに、第２面要素３２における第２面要素３２の曲面部の位置によって、第２面要素３２の曲面部が定点に向けて光を射出するように構成されている。
【００４０】
第２面要素３２は曲面部の一例である円錐面から構成されている。第２面要素３２は、第１面要素３１における円錐面Ｃと同一の形状を有しているが、第２面要素３２は、円錐面Ｃとは互いに異なる形状であって、例えば、円錐面Ｃとは高さの異なる形状、または、円錐面Ｃとは底部の大きさが異なる形状などを有してもよい。
【００４１】
図５には、図１における領域Ａに含まれる第１凸部２２ａおよび第２凸部２２ｂが拡大して示されている。図５では、図３および図４と同様、図示および説明の便宜上、表示体１０が備える反射層２３の図示が省略されている。
【００４２】
図５が示すように、凹凸構造層２２の広がる二次元平面と直交する方向から見て、複数の第１凸部２２ａと、複数の第２凸部２２ｂとが規則的に並んでいる。複数の第１凸部２２ａと複数の第２凸部２２ｂとを含む全ての凸部は、正方格子状に配列している。すなわち、凹凸構造層２２が広がる二次元平面には、仮想的な正方格子Ｌが設定され、複数の凸部は、正方格子Ｌが有する格子点ＬＰ上に１つずつ位置している。
【００４３】
なお、複数の凸部は、六方格子状に配列してもよい。この場合には、凹凸構造層２２が広がる二次元平面に仮想的な六方格子が設定され、複数の凸部は、六方格子が有する格子点状に１つずつ位置すればよい。
【００４４】
複数の凸部が六方格子状に並ぶ構成によれば、複数の凸部が正方格子状に並ぶ構成と比べて、隣り合う凸部間の隙間を小さくすることができる。そのため、表示体１０の表示する像が、より緻密かつ明るくなりやすい。
【００４５】
ここで、表示体１０の凹凸面１０Ｓにマトリクス状に並ぶ画素を区画し、画素を用いて表示体１０が表示する像を設計することも可能である。この場合には、例えば、画像編集ソフトなどを用いて凹凸面１０Ｓ内に第１領域１１と第２領域１２とを設定した後、各画素に第１凸部２２ａまたは第２凸部２２ｂを並べることができる。
【００４６】
複数の凸部が正方格子状に並ぶ構成であれば、１つの画素に対して１つの第１凸部２２ａまたは１つの第２凸部２２ｂを対応付けることができる。そのため、凸部が画素の境界に位置するために、画像編集ソフト上にて、第１凸部２２ａまたは第２凸部２２ｂの形状以外の形状に凸部の形状が変更されることがない。それゆえに、凹凸構造層２２が意図しない形状を有した凸部を有することによって、この凸部から、第１凸部２２ａまたは第２凸部２２ｂが射出する光とは異なる光が射出されることを抑えることができる。
【００４７】
［表示体の作用］
図６を参照して表示体の作用を説明する。
図６が示すように、観察者が観察側の定点であって、第１凸部２２ａの平面部３１ｂの射出する光が到達する定点から観察するとき、観察者は、第１領域１１に位置する第１面要素３１が射出する光によって形成される像を視認することができる。
【００４８】
このとき、観察者は、第１領域１１から射出された光として、所定の面積を有する平面部３１ｂから射出された光を視認する。これに対して、観察者は、第２領域１２から射出された光として、曲面である第２面要素３２から射出された光を視認する。そのため、各第２凸部２２ｂから定点に向けて射出される光の強度は低くなる。それゆえに、第２領域１２における単位面積当たりの光量は、第１領域１１における単位面積当たりの光量よりも小さくなり、第１領域１１と第２領域１２とのコントラストが大きくなる。
結果として、第１領域１１が表示する像と、第２領域１２が表示する像とが互いに異なる像として観察者に認識されやすくなり、各像の視認性が高まる。
【００４９】
［表示体の製造方法］
表示体１０を製造する際には、まず、基材２１を準備し、次いで、基材２１の１つの面に凹凸構造層２２を形成する。そして、凹凸構造層２２のうち、基材２１に接する面とは反対側の面に反射層２３を形成する。
【００５０】
基材２１を準備する工程では、所定の樹脂、例えば、ポリカーボネート、ポリイミド、および、ポリエチレンテレフタラートなどのいずれかから形成された樹脂シート、または、樹脂フィルムを準備すればよい。
【００５１】
凹凸構造層２２を形成する工程では、まず、基材２１が有する１つの面に、熱可塑性樹脂または光硬化性樹脂を塗布することによって、塗膜を形成する。塗膜において、基材２１に接する面とは反対側の面が表面であり、塗膜の表面に金属製のスタンパを押し当てる。塗膜の形成材料が熱可塑性樹脂であるときには、塗膜の表面にスタンパを押し当てた状態で塗膜を加熱し、塗膜の形成材料が光硬化性樹脂であるときには、塗膜の表面にスタンパを押し当てた状態で塗膜に光を照射し、それによって、塗膜を硬化する。そして、硬化した塗膜からスタンパを離型することによって、凹凸面２２Ｓを有した凹凸構造層２２を得ることができる。
【００５２】
反射層２３を形成する工程では、スパッタ法および真空蒸着法などを用いて、反射層２３として金属層あるいは金属化合物層を凹凸構造層２２の凹凸面２２Ｓに形成すればよい。これにより、基材２１、凹凸構造層２２、および、反射層２３を備えた表示体１０を得ることができる。
【００５３】
以上説明したように、表示体の第１実施形態によれば、以下に記載の効果を得ることができる。
（１）観察者が定点から表示体１０を観察するとき、第１面要素３１が所定の面積を有する平面部３１ｂから光を射出する一方で、第２面要素３２は曲面部から光を射出する。そのため、第１領域における単位面積当たりの光量が、第２領域における単位面積当たりの光量よりも大きくなり、結果として、第１領域１１が形成する像と第２領域１２が形成する像であって、表示体１０が表示する像の視認性を高めることができる。
【００５４】
［第１実施形態の変形例］
なお、上述した第１実施形態は以下のように適宜変更して実施することができる。
・各第１凸部２２ａは、他の第１凸部２２ａとは互いに異なる形状を有してもよい。すなわち、各第１凸部２２ａが含む第１面要素３１は、他の第１凸部２２ａが含む第１面要素３１とは互いに異なる形状を有してもよい。
【００５５】
図７から図１１を参照して、第１面要素３１の形状の例を説明する。
図７は、第１凸部２２ａを上面視した平面構造を示している。図８および図９は、図７におけるＩＩ−ＩＩ線に沿う断面構造を示している。なお、図８が示す第１凸部２２ａの高さと図９が示す第１凸部２２ａの高さとが、互いに異なっている。
図７が示すように、第１面要素３１は、１つの曲面部３１ａと１つの平面部３１ｂとを備えている。
【００５６】
図８が示す第１面要素３１において、第１面要素３１の高さが第１高さｈ１であり、第１面要素３１の幅が、第１幅ｗ１である。なお、第１面要素３１の幅は、第１面要素３１の底部における平面部３１ｂと曲面部３１ａとの距離の最大値である。平面部３１ｂの傾斜角θは、第１傾斜角θ１である。
【００５７】
図９が示す第１面要素３１において、第１面要素３１の高さが、上述した第１高さよりも低い第２高さｈ２であり、第１面要素３１の幅は第１幅ｗ１である。平面部３１ｂの傾斜角θは第２傾斜角θ２であり、第２傾斜角θ２は、上述した第１傾斜角θ１よりも小さい。
【００５８】
このように、第１傾斜角θ１と第２傾斜角θ２とが互いに異なるため、図８の平面部３１ｂにおける入射光ＩＬの第１入射角θα１と、図９における平面部３１ｂにおける入射光ＩＬの第２入射角θα２とが互いに異なる。これにより、図８における第１面要素３１では、入射光ＩＬの一部は、射出角が第１射出角θβ１である第１正反射光ＲＬ１として射出される一方で、図９における第１面要素３１では、入射光ＩＬの一部は、射出角が第１射出角θβ１とは異なる第２射出角θβ２である第２正反射光ＲＬ２として射出される。
【００５９】
図８における平面部３１ｂから射出される光のうち、上述した定点に向けて射出される光が第１光成分ＰＬ１であり、図９における平面部３１ｂから射出される光のうち、定点に向けて射出される光が第２光成分ＰＬ２である。そして、第１光成分ＰＬ１の射出角が第１射出角θγ１であり、第２光成分ＰＬ２の射出角が第２射出角θγ２であり、第１射出角θγ１と第２射出角θγ２とが互いに異なる。
【００６０】
結果として、図８における第１面要素３１から定点に向けて射出される光の光量と、図９における第１面要素３１から定点に向けて射出される光の光量とが互いに異なる。なお、第２射出角θβ２と第２射出角θγ２との差が、第１射出角θβ１と第１射出角θγ１との差よりも小さい。そのため、図９における第１凸部２２ａから定点に向けて射出される光の単位面積当たりの光量が、図８における第１凸部２２ａから定点に向けて射出される光の単位面積当たりの光量よりも大きくなる。
【００６１】
なお、図８における平面部３１ｂの面積と、図９における平面部３１ｂの面積とは互いに異なるため、これによっても、各第１面要素３１から射出される光の光量は互いに異なる。
【００６２】
図１０は、第１凸部２２ａを上面視した平面構造を示している。図１１は、図１０におけるＩＩＩ−ＩＩＩ線に沿う断面構造を示している。
図１０が示すように、第１凸部２２ａは、１つの曲面部３１ａと１つの平面部３１ｂとを備えている。図１０における平面部３１ｂの面積は、図８における平面部３１ｂの面積よりも小さい。
【００６３】
図１１が示すように、第１面要素３１の高さは、第１高さｈ１である一方で、第１面要素３１の幅は、第１幅ｗ１とは異なる第２幅ｗ２である。第１凸部２２ａの傾斜角θは第３傾斜角θ３であって、図８における第１面要素３１の第１傾斜角θ１、および、図９における第１面要素３１の第２傾斜角θ２とは互いに異なる大きさであり、第３傾斜角θ３は、第１傾斜角θ１よりも大きい。
【００６４】
このように、第１傾斜角θ１と第３傾斜角θ３とが互いに異なる。そのため、図１１の平面部３１ｂにおける入射光ＩＬの第３入射角θα３は、上述した第１入射角θα１と互いに異なり、図１１の平面部３１ｂにおける第３正反射光ＲＬ３の第３射出角θβ３は、上述した第１射出角θβ１と互いに異なる。
【００６５】
図１１における平面部３１ｂから射出される光のうち、上述した定点に向けて射出される光が第３光成分ＰＬ３であり、第３光成分ＰＬ３の射出角である第３射出角θγ３は、上述した第１射出角θγ１とは異なる角度である。また、第３射出角θβ３と第３射出角θγ３との差が、第１射出角θβ１と第１射出角θγ１との差よりも小さいため、図１１における第１面要素３１から定点に向けて射出される単位面積当たりの光量が、図８における第１面要素３１から定点に向けて射出される単位面積当たりの光量よりも大きくなる。
【００６６】
なお、第１面要素３１の高さが同一である前提では、傾斜角θが小さいほど、平面部３１ｂの面積が大きくなる。そのため、各第１面要素３１から射出される光量を定める上では、単位面積当たりに射出される光量だけでなく、平面部３１ｂの面積も考慮する必要がある。
【００６７】
このように、第１面要素３１の高さあるいは幅を変える、言い換えれば、第１面要素３１が備える平面部３１ｂの傾斜角θあるいは面積を変えることによって、各第１面要素３１から定点に向けて射出される光の光量を変えることができる。
【００６８】
そのため、複数の第１面要素３１が、高さおよび幅の少なくとも一方が互いに異なる複数種類の第１面要素３１を含む構成であれば、第１領域１１の表示する像を複数の階調で表現することができる。
【００６９】
・第１面要素３１が備える平面部３１ｂは、円錐面Ｃの頂点、および、円錐面Ｃの底部上の点の少なくとも一方を通らない面であってもよい。こうした構成であっても、第１面要素が定点に向けて光を射出する平面部を備え、かつ、第２面要素が定点に向けて光を射出する曲面部を備える構成であれば、上述した（１）と同等の効果を得ることはできる。
【００７０】
・第１面要素３１は円錐面Ｃに限らず、例えば、円柱面、半球面、および、半楕円体面などの曲面を有した形状に基づく形状を有してもよい。円柱面、半球面、および、半楕円体面は、凹凸面１０Ｓが広がる２次元平面の法線方向と平行な方向に沿って延びる回転軸を有した回転面である。こうした構成であっても、第１面要素が定点に向けて光を射出する平面部を備え、かつ、第２面要素が定点に向けて光を射出する曲面部を備える構成であれば、上述した（１）と同等の効果を得ることはできる。
【００７１】
・表示体１０は、反射層２３に変えて樹脂製の被覆層を備える構成でもよい。この場合には、被覆層は光透過性を有し、かつ、被覆層の屈折率が、凹凸構造層２２の屈折率と互いに異なる値であればよい。これにより、被覆層と凹凸構造層２２との界面において、表示体１０に入射した光を反射することができる。こうした構成では、凹凸構造層２２の凹凸面２２Ｓが光を反射する凹凸面である。
【００７２】
・表示体１０は反射層２３を備えていなくてもよく、こうした構成であっても、凹凸構造層２２の屈折率と、空気の屈折率との差により、凹凸構造層２２の凹凸面２２Ｓにおいて、入射した光を少なからず反射することはできる。
【００７３】
・表示体１０の凹凸面１０Ｓは、平面部のみから構成される面要素を含んでもよい。こうした構成では、凹凸面１０Ｓの一部である表示領域が、第１面要素のみを含む第１領域と第２面要素のみを含む第２領域とから構成されていればよく、表示領域において、上述した（１）と同等の効果を得ることはできる。
【００７４】
・図１２が示すように、表示体４０は、基材４１と凹凸構造層４２とを備え、凹凸構造層４２のうち、基材４１と接する面とは反対側の面が凹凸面４２Ｓであり、凹凸構造層４２が、複数の凹部を備える構成であってもよい。複数の凹部は、第１凹部４２ａと第２凹部４２ｂとを含み、第１凹部４２ａの表面が第１面要素であり、第２凹部４２ｂの表面が第２面要素であればよい。すなわち、第１凹部４２ａの表面が、曲面部と、定点に向けて光を射出する平面部とを含み、第２凹部４２ｂの表面が、定点に向けて光を射出する曲面部を含んでいればよい。こうした構成であっても、上述した（１）と同等の効果を得ることはできる。
【００７５】
・図１２を参照して先に説明した構成では、表示体４０は、凹凸構造層４２を覆う反射層を備えてもよいし、被覆層を備えてもよい。こうした構成であっても、複数の凸部を備える凹凸構造層２２による効果と同等の効果を得ることはできる。
【００７６】
［第２実施形態］
図１３から図１６を参照して、表示体の第２実施形態を説明する。第２実施形態は、第１実施形態と比べて、第１凸部および第２凸部の形状が異なる。そのため、以下では、こうした相違点を詳しく説明し、第１実施形態と共通する構成の詳しい説明を省略する。なお、以下では、面要素の構成、および、表示体の作用を順番に説明する。
【００７７】
［面要素の構成］
図１３および図１４を参照して面要素の構成を説明する。第１実施形態と同様、表示体は、反射層と凹凸構造層とを備える構成であり、凹凸構造層の凹凸面が有する形状を表示体の凹凸面が有する形状であると見なすことができる。そのため、以下では、凹凸構造層を用いて表示体の面要素の構成を説明する。
【００７８】
図１３は、凹凸構造層が備える第１凸部５１の斜視構造を示している。複数の第１凸部５１において、各第１凸部５１は、他の全ての第１凸部５１と互いに同一の形状を有している。
【００７９】
図１３が示すように、第１凸部５１の表面が第１面要素５２である。第１面要素５２は、曲面部５２ａおよび平面部５２ｂに加えて、合成用平面部５２ｃをさらに含んでいる。第１面要素５２は、第１面要素５２における合成用平面部５２ｃの位置によって、定点とは異なる合成用定点に向けて合成用平面部５２ｃが光を射出するように構成されている。
【００８０】
第１面要素５２は、１つの曲面部５２ａ、１つの平面部５２ｂ、および、１つの合成用平面部５２ｃから構成されている。第１面要素５２は、仮想的な円錐台面ＴＣに基づく形状を有している。円錐台面ＴＣは頂面を有し、円錐台面ＴＣにおける頂面とは反対側の端部である底部は、円錐面Ｃと同様、円環状を有している。
【００８１】
第１面要素５２のうち、平面部５２ｂは、円錐台面ＴＣの頂面における円周上の任意の２点と、円錐台面ＴＣの底部上の任意の２点とを通る面である。平面部５２ｂは、台形状を有している。
【００８２】
第１面要素５２の曲面部５２ａは、円錐台面ＴＣの側面に倣う形状を有している。円錐台面ＴＣの頂面と対向する方向から見て、円錐台面ＴＣの側面の周方向において、平面部５２ｂを除く部分が、曲面部５２ａである。
【００８３】
第１面要素５２の合成用平面部５２ｃは、円錐台面ＴＣの頂面に倣う形状を有している。円錐台面ＴＣの頂面と対向する方向から見て、円錐台面ＴＣの頂面の周方向において、平面部５２ｂを除く部分が、合成用平面部５２ｃである。合成用平面部５２ｃは、表示体の凹凸面が広がる二次元平面と平行な方向に沿って広がる面である。
【００８４】
第１面要素５２の合成用平面部５２ｃは、合成用平面部５２ｃが有する表面粗さによって、合成用定点に向けて散乱光を射出するように構成されていることが好ましい。
【００８５】
図１４は、凹凸構造層が備える第２凸部５３の斜視構造を示している。複数の第２凸部５３において、各第２凸部５３は、他の全ての第２凸部５３と互いに同一の形状を有している。
【００８６】
図１４が示すように、第２凸部５３の表面が第２面要素５４である。第２面要素５４は、曲面部５４ａに加えて合成用平面部５４ｂをさらに含んでいる。第２面要素５４は、第２面要素５４における合成用平面部５４ｂの位置によって、第２面要素５４の合成用平面部５４ｂが合成用定点に向けて光を射出するように構成されている。
【００８７】
第２面要素５４は円錐台面であり、円錐台面の側面が曲面部５４ａの一例であり、円錐台面の頂面が合成用平面部５４ｂの一例である。合成用平面部５４ｂは、表示体の凹凸面が広がる二次元平面と平行な方向に沿って広がる面である。第２面要素５４は、第１面要素５２における円錐台面ＴＣと同一の形状を有しているが、第２面要素５４は、円錐台面ＴＣとは互いに異なる形状であって、例えば、円錐台面ＴＣとは高さの異なる形状、または、円錐台面ＴＣとは底部の大きさが異なる形状などを有してもよい。
【００８８】
第２面要素５４の合成用平面部５４ｂは、合成用平面部５４ｂが有する表面粗さによって、合成用定点に向けて散乱光を射出するように構成されていることが好ましい。
【００８９】
［表示体の作用］
図１５および図１６を参照して表示体の作用を説明する。
図１５が示すように、表示体６０の凹凸面６０Ｓは、第１実施形態と同様、第１領域６１と、第１領域６１を囲む第２領域６２とから構成されている。表示体６０の厚さ方向において、複数の第１凸部５１は、第１領域６１と重なる部分に並び、複数の第２凸部５３は、第２領域６２と重なる部分に並んでいる。
【００９０】
表示体６０の観察者が、定点から表示体６０を観察するとき、観察者は、第１領域６１に位置する各第１面要素５２が射出する光によって形成される像を視認することができる。加えて、観察者は、第２領域６２に位置する各第２面要素５４が射出する光によって形成された像を視認することができる。
【００９１】
上述したように、第１領域６１と第２領域６２とのコントラストが大きいため、第１領域６１が表示する像と、第２領域６２が表示する像とが互いに異なる像として視認されやすくなる。結果として、各像の視認性が高まる。
【００９２】
これに対して、図１６が示すように、観察者が合成用定点、すなわち、凹凸面６０Ｓが広がる二次元平面に対する法線方向に位置する点から表示体６０を観察するとき、観察者は、第１面要素５２の合成用平面部５２ｃが射出する光と、第２面要素５４の合成用平面部５４ｂが射出する光とを視認する。そのため、観察者が視認する光において、第１領域６１から射出される光の単位面積当たりの光量と、第２領域６２から射出される光の単位面積当たりの光量とがほぼ等しくなる。これにより、観察者は、第１領域６１から射出された光と第２領域６２から射出された光との合成による１つの像を視認することができる。
【００９３】
各合成用平面部が散乱光を射出する構成であれば、合成用平面部から射出される光における射出角の範囲が広がる。そのため、観察者が表示体を観察するときの視認方向において、凹凸面の全体によって形成される１つの像を視認することのできる範囲を広げることができる。
このように、表示体６０によれば、凹凸面６０Ｓから射出される光によって、互いに異なる２種類の像を形成することができる。
【００９４】
以上説明したように、表示体の第２実施形態によれば、上述した（１）の効果に加えて、以下の効果を得ることができる。
（２）観察者が、定点から表示体６０を視認したときには、表示体６０は、第１領域６１から射出される光の光量と、第２領域６２から射出される光の光量との差によって、第１領域６１が形成する像と第２領域６２が形成する像とを観察者に向けて表示することができる。これに対して、観察者が、合成用定点から表示体６０を視認したときには、第１領域６１から射出される光と、第２領域６２から射出される光との光量の差が小さくなるため、表示体６０は、第１領域６１から射出された光と、第２領域６２から射出された光とが合成された１つの像を観察者に向けて表示することができる。それゆえに、表示体６０は、互いに異なる定点に向けて、互いに異なる像を表示することができる。
【００９５】
（３）各合成用平面部が散乱光を射出する構成であれば、各合成用平面部から射出される光における射出角の範囲が広がるため、観察者が表示体を観察するときの視認方向において、凹凸面の全体によって形成される１つの像を視認することのできる範囲を広げることができる。
【００９６】
［第２実施形態の変形例］
なお、上述した第２実施形態は、以下のように適宜変更して実施することもできる。
・各合成用平面部は、平坦面であってもよい。すなわち、合成用平面部は、正反射の射出角を含む所定の射出角の範囲にのみ光を射出し、かつ、正反射の射出角における光量が最も大きくなるような分布を有するように光を射出する構成でもよい。こうした構成であっても、第１面要素が合成用定点に向けて光を射出する合成用平面部を備え、かつ、第２面要素が合成用定点に向けて光を射出する合成用平面部を備えていれば、上述した（２）と同等の効果を得ることはできる。
【００９７】
・各合成用平面部は、凹凸面６０Ｓが広がる二次元平面と交差する平面に沿って広がる面であってもよい。こうした構成によれば、各合成用平面部が、凹凸面６０Ｓが広がる二次元平面と平行な平面に沿って広がる構成と比べて、表示体６０の観察側における合成用定点の位置が異なるものの、上述した（２）と同等の効果を得ることはできる。
【００９８】
・第１面要素５２、および、第２面要素５４は、それぞれ円錐台面に基づく形状を有してなくてもよい。要は、第１面要素５２が、定点に向けて光を射出する平面部、曲面部、および、合成用定点に向けて光を射出する合成用平面部を備え、かつ、第２面要素５４が、定点に向けて光を射出する曲面部、および、合成用定点に向けて光を射出する合成用平面部を備えていればよい。こうした構成であれば、上述した（２）と同等の効果を得ることはできる。
【００９９】
［第３実施形態］
図１７から図２５を参照して、表示体の第３実施形態を説明する。第３実施形態は、第１実施形態と比べて、表示体の凹凸面が含む領域の数が異なる。そのため、以下では、こうした相違点を詳しく説明し、第１実施形態と共通する構成についての詳しい説明を省略する。なお、以下では、表示体の構成、面要素の構成、および、表示体の作用を順番に説明する。
【０１００】
［表示体の構成］
図１７を参照して表示体の構成を説明する。
図１７が示すように、表示体７０は、１つの方向であるＸ方向と、Ｘ方向と直交するＹ方向とに沿って広がる板状を有し、かつ、Ｘ方向およびＹ方向と直交する方向であるＺ方向に沿って、所定の厚さを有している。
【０１０１】
表示体７０の凹凸面７０Ｓは、第１実施形態の表示体１０と同様、第１領域７１と第２領域７２とを含んでいる。凹凸面７０Ｓはさらに、凹凸面７０Ｓにおける位置が第１領域７１および第２領域７２とは異なる第３領域７３、第４領域７４、および、第５領域７５を含んでいる。第３領域７３、第４領域７４、および、第５領域７５は、それぞれ複数の面要素を含んでいる。凹凸面７０Ｓを構成する複数の面要素は、上述した第１面要素および第２面要素に加えて、第３面要素をさらに含んでいる。
【０１０２】
第１領域７１、第３領域７３、第４領域７４、および、第５領域７５は、凹凸面７０Ｓにおける位置が互いに異なり、凹凸面７０Ｓのうち、第１領域７１、第３領域７３、第４領域７４、および、第５領域７５以外の部分を第２領域７２が埋めている。
【０１０３】
凹凸面７０Ｓにおいて、第１領域７１と第３領域７３とがＹ方向に沿って並び、第１領域７１と第４領域７４とがＸ方向に沿って並んでいる。凹凸面７０Ｓにおいて、第３領域７３と第５領域７５とがＸ方向に沿って並び、第４領域７４と第５領域７５とがＹ方向に沿って並んでいる。なお、表示体７０において、第１領域７１、第３領域７３、第４領域７４、および、第５領域７５が、Ｘ方向およびＹ方向に対してこのように並ぶ状態が、表示体７０の初期状態である。
【０１０４】
第１領域７１、第３領域７３、第４領域７４、および、第５領域７５の各々は、互いに異なる形状を有している。各領域は、各領域が有する形状とほぼ同一の形状を有した像を各領域から射出する光によって形成する。第１領域７１は、人の笑顔を模式的に表現する形状を有し、第３領域７３は星形状を有し、第４領域７４は三日月形状を有している。第５領域７５は太陽を表現する形状であって、円形状を有する領域と、円形状を有した領域の周方向に沿って並ぶ複数の三角形状を有する領域とから構成されている。
【０１０５】
［面要素の構成］
図１８から図２１を参照して各領域が備える面要素の構成を説明する。第１実施形態と同様、表示体７０は、反射層と凹凸構造層とを備える構成であり、凹凸構造層の凹凸面が有する形状を表示体７０の凹凸面７０Ｓが有する形状であると見なすことができる。そのため、以下では、凹凸構造層を用いて表示体７０の面要素の構成を説明する。
【０１０６】
また、第２領域７２が備える複数の面要素は、第１実施形態の表示体１０と同様、円錐面である第２面要素である。そのため、以下では、第２領域７２が備える面要素の構成についての説明を省略する。なお、以下では、初期状態である表示体７０における各面要素の構成を説明する。
【０１０７】
図１８は、凹凸構造層が備える第１凸部８１を上面視した平面構造を示している。
図１８が示すように、第１凸部８１の表面が第１面要素８２であり、第１面要素８２は、１つの曲面部８２ａ、および、１つの平面部８２ｂから構成されている。第１面要素８２は、第１面要素８２における平面部８２ｂの位置によって、第１定点に向けて平面部８２ｂが光を射出するように構成されている。
【０１０８】
第１面要素８２は、第１実施形態の第１面要素３１と同様、仮想的な円錐面Ｃに基づく形状を有し、頂点８２ｃを有している。平面部８２ｂは三角形状を有し、ＺＸ平面に対して所定の傾きを有した平面に沿って延びている。平面部８２ｂが向く方向は、平面部８２ｂが対向する方向である。頂点８２ｃを通り、かつ、Ｚ方向に沿って延びる直線を回転軸とするとき、頂点８２ｃと対向する平面視において、平面部８２ｂは、回転軸の周方向において、所定の方向に面している。
【０１０９】
図１９は、凹凸構造層が備える第３凸部８３を上面視した平面構造を示している。凹凸構造層は複数の第３凸部８３を備え、各第３凸部８３は、他の全ての第３凸部８３と互いに同一の形状を有している。
【０１１０】
図１９が示すように、第３凸部８３の表面が第３面要素８４であり、第３面要素８４は、曲面部８４ａと平面部８４ｂとを含んでいる。第３面要素８４は、第３面要素８４における平面部８４ｂの位置によって、第１定点とは異なる第２定点に向けて平面部８４ｂが光を射出するように構成されている。第３領域７３に含まれる面要素は、第３面要素８４である。すなわち、第３領域７３は、面要素として第３面要素８４のみを含んでいる。
【０１１１】
第３面要素８４は、第１面要素８２と同様、仮想的な円錐面Ｃに基づく形状を有し、頂点８４ｃを有している。平面部８４ｂは三角形状を有し、ＺＹ平面に対して所定の傾きを有した平面に沿って延びている。頂点８４ｃを通り、かつ、Ｚ方向に沿って延びる直線を回転軸とするとき、頂点８４ｃと対向する平面視において、平面部８４ｂが向く方向は、回転軸の周方向において、第１面要素８２の平面部８２ｂが向く方向に対して左回りに９０度だけ異なっている。
【０１１２】
図２０は、凹凸構造層が備える第４凸部８５を上面視した平面構造を示している。凹凸構造層は複数の第４凸部８５を備え、各第４凸部８５は、他の全ての第４凸部８５と互いに同一の形状を有している。
【０１１３】
図２０が示すように、第４凸部８５の表面が第４面要素８６であり、第４面要素８６は、曲面部８６ａと平面部８６ｂとを含んでいる。第４面要素８６は、第４面要素８６における平面部８６ｂの位置によって、第１定点、および、第２定点とは異なる第３定点に向けて第４面要素８６の平面部８６ｂが光を射出するように構成されている。第４領域７４に含まれる面要素は、第４面要素８６である。すなわち、第４領域７４は、面要素として第４面要素８６のみを含んでいる。
【０１１４】
第４面要素８６は、第１面要素８２と同様、仮想的な円錐面Ｃに基づく形状を有し、頂点８６ｃを有している。平面部８６ｂは三角形状を有し、ＺＹ平面に対して所定の傾きを有した平面に沿って延びている。頂点８６ｃを通り、かつ、Ｚ方向に沿って延びる直線を回転軸とするとき、頂点８６ｃと対向する平面視において、平面部８６ｂが向く方向は、回転軸の周方向において、第１面要素８２の平面部８２ｂが向く方向に対して左回りに２７０度だけ異なっている。
【０１１５】
図２１は、凹凸構造層が備える第５凸部８７を上面視した平面構造を示している。凹凸構造層は複数の第５凸部８７を備え、各第５凸部８７は、他の全ての第５凸部８７と互いに同一の形状を有している。
【０１１６】
図２１が示すように、第５凸部８７の表面が第５面要素８８であり、第５面要素８８は、曲面部８８ａと平面部８８ｂとを含んでいる。第５面要素８８は、第５面要素８８における平面部８８ｂの位置によって、第１定点、第２定点、および、第３定点とは異なる第４定点に向けて平面部８８ｂが光を射出するように構成されている。第５領域７５に含まれる面要素は、第５面要素８８である。すなわち、第５領域７５は、面要素として第５面要素８８のみを含んでいる。
【０１１７】
第５面要素８８は、第１面要素８２と同様、仮想的な円錐面Ｃに基づく形状を有し、頂点８８ｃを有している。平面部８８ｂは三角形状を有し、ＺＸ平面に対して所定の傾きを有した平面に沿って延びている。頂点８８ｃを通り、かつ、Ｚ方向に沿って延びる直線を回転軸とするとき、頂点８８ｃと対向する平面視において、平面部８８ｂの向く方向は、回転軸の周方向において、第１面要素８２の平面部８２ｂに対して左回りに１８０度だけ異なっている。
【０１１８】
なお、第２領域７２が備える複数の面要素は、第１実施形態の表示体１０と同様、円錐面である第２面要素であって、第２面要素の全体が曲面部によって構成されている。そのため、第２面要素は、上述した第１定点だけでなく、第２定点、第３定点、および、第４定点の各々に向けて曲面部から光を射出するように構成されている。
【０１１９】
また、平面部の向く方向が回転軸の周方向において９０度ずつ異なる４種の面要素を形成する場合には、円錐面Ｃの底部を４等分する４つの点を設定する。そして、底部の周方向において互いに隣り合う２つの点と、円錐面Ｃの頂点とを通る平面を１つの表示用平面とすればよい。これにより、４種の面要素間において、平面部における傾斜角および面積を等しくすることができる。
【０１２０】
［表示体の作用］
図２２から図２５を参照して表示体の作用を説明する。以下では、凹凸面７０Ｓと対向する平面視において、凹凸面７０Ｓの中心を通り、かつ、Ｚ方向に沿って延びる直線を回転軸Ｒに設定し、観察者が表示体７０を視認する点および視認する方向を固定した状態で、回転軸Ｒを中心に表示体７０を回転させたときの表示体７０の作用を説明する。
【０１２１】
図２２が示すように、表示体７０が初期状態であるとき、第１面要素８２では、平面部８２ｂが、観察者に向けて光を射出することができる。これに対して、第３面要素８４、第４面要素８６、および、第５面要素８８では、各面要素が備える平面部は、観察者に向けて光を射出することができない一方で、各面要素が備える曲面部が、観察者に向けて光を射出することができる。
【０１２２】
そのため、第１領域７１から観察者に向けて射出される光の単位面積当たりの光量が、凹凸面７０Ｓにおける第１領域７１以外の部分から観察者に向けて射出される光の単位面積当たりの光量よりも大きくなる。それゆえに、観察者は、第１領域７１が形成する像と、凹凸面７０Ｓにおける第１領域７１以外の部分が形成する像とを視認することができる。
【０１２３】
図２３が示すように、回転軸Ｒを中心に表示体７０を右回りに９０度だけ回転させる。第３面要素８４の平面部８４ｂが向く方向は、回転軸Ｒの周方向において、第１面要素８２の平面部８２ｂに対して左回りに９０度だけ異なっている。そのため、第３面要素８４の平面部８４ｂが、観察者に向けて光を射出することができる。これに対して、第１面要素８２、第４面要素８６、および、第５面要素８８では、各面要素が備える曲面部が、観察者に向けて光を射出することができる。
【０１２４】
それゆえに、第３領域７３から観察者に向けて射出される光の単位面積当たりの光量が、凹凸面７０Ｓにおける第３領域７３以外の部分から観察者に向けて射出される光の単位面積当たりの光量よりも大きくなる。結果として、観察者は、第３領域７３が形成する像と、凹凸面７０Ｓにおける第３領域７３以外の部分が形成する像とを視認することができる。
【０１２５】
図２４が示すように、回転軸Ｒを中心に表示体７０を右回りにさらに９０度回転させる。すなわち、初期状態に対して、回転軸Ｒを中心に表示体７０を右回りに１８０度回転させる。
【０１２６】
第５面要素８８の平面部８８ｂが向く方向は、回転軸Ｒの周方向において、第１面要素８２の平面部８２ｂが向く方向に対して左回りに１８０度だけ異なっている。そのため、第５面要素８８の平面部８８ｂが、観察者に向けて光を射出することができる。これに対して、第１面要素８２、第３面要素８４、および、第４面要素８６では、各面要素が備える曲面部が、観察者に向けて光を射出することができる。
【０１２７】
それゆえに、第５領域７５が観察者に向けて射出する光の単位面積当たりの光量が、凹凸面７０Ｓにおける第５領域７５以外の部分が観察者に向けて射出する光の単位面積当たりの光量よりも大きくなる。結果として、観察者は、第５領域７５が形成する像と、凹凸面７０Ｓにおける第５領域７５以外の部分が形成する像とを視認することができる。
【０１２８】
図２５が示すように、回転軸Ｒを中心に表示体７０を右回りにさらに９０度回転させる。すなわち、初期状態に対して、回転軸Ｒを中心に表示体７０を右回りに２７０度回転させる。
【０１２９】
第４面要素８６の平面部８６ｂが向く方向は、回転軸Ｒの周方向において、第１面要素８２の平面部８２ｂが向く方向に対して左回りに２７０度だけ異なっている。そのため、第４面要素８６の平面部８６ｂが、観察者に向けて光を射出することができる。これに対して、第１面要素８２、第３面要素８４、および、第５面要素８８では、各面要素が備える曲面部が、観察者に向けて光を射出することができる。
【０１３０】
それゆえに、第４領域７４が観察者に向けて射出する光の単位面積当たりの光量が、凹凸面７０Ｓにおける第４領域７４以外の部分が観察者に向けて射出する光の単位面積当たりの光量よりも大きくなる。結果として、観察者は、第４領域７４が形成する像と、凹凸面７０Ｓにおける第４領域７４以外の部分が形成する像とを視認することができる。
【０１３１】
以上説明したように、表示体の第３実施形態によれば、上述した（１）の効果に加えて、以下に記載の効果を得ることができる。
（４）表示体７０は、第１定点に向けて、第１領域７１から射出される光の単位面積当たりの光量と、第２領域７２から射出される光の単位面積当たりの光量との差によって、第１領域７１が形成する像と、第２領域７２が形成する像とを表示することができる。さらに、表示体７０は、第２定点に向けて、第３領域７３から射出される光の単位面積当たりの光量と、第２領域７２から射出される光の単位面積当たりの光量との差によって、第３領域７３が形成する像と、第２領域７２が形成する像とを表示することもできる。
【０１３２】
［第３実施形態の変形例］
・凹凸面７０Ｓは、第１領域７１と第２領域７２以外に、少なくとも１つの領域であって、第１領域７１および第２領域７２とは、凹凸面７０Ｓにおける位置が重ならない領域を備えていればよい。そして、第１領域７１および第２領域７２とは異なる領域が、第１面要素および第２面要素とは異なる第３面要素を面要素として含む構成であればよい。こうした構成によれば、上述した（４）と同等の効果を得ることはできる。
【０１３３】
・第１面要素８２、第３面要素８４、第４面要素８６、および、第５面要素８８の間において、各面要素における上述した高さおよび幅の少なくとも一方が互いに異なってもよい。すなわち、各面要素が備える平面部における傾斜角θおよび面積の少なくとも一方が互いに異なってもよい。こうした構成によれば、第１領域７１、第３領域７３、第４領域７４、および、第５領域７５がそれぞれ形成する像の間において、像の明度を互いに異ならせることができる。
【０１３４】
・第２実施形態の構成と組み合わせて実施してもよい。すなわち、各面要素は、円錐台面に基づく形状を有し、かつ、合成用平面部を有する構成であってもよい。こうした構成であっても、凹凸面７０Ｓが第３領域７３を含み、かつ、第３領域７３が、第２定点に向けて光を射出する平面部を含んだ第３面要素を備えていれば、上述した（４）と同等の効果を得ることはできる。
【０１３５】
・凹凸面７０Ｓが含む複数の領域のうち、第２領域７２を除く領域において、各領域の有する形状が、他の全ての領域が有する形状と同一であってもよい。こうした構成によれば、回転軸Ｒを中心として表示体７０を回転させることによって、表示体７０は、互いに同一の形状を有した像であって、かつ、凹凸面７０Ｓにおける互いに異なる部位に位置する像を形成することができる。
【０１３６】
［第４実施形態］
図２６から図３５を参照して、本発明の表示体を具体化した第４実施形態を説明する。第４実施形態は、第１実施形態と比べて、表示体の凹凸面が含む領域の数が異なる。そのため、以下では、こうした相違点を詳しく説明し、第１実施形態と共通する構成についての詳しい説明を省略する。なお、以下では、表示体の構成、面要素の構成、および、表示体の作用を順番に説明する。
【０１３７】
［表示体の構成］
図２６を参照して表示体の構成を説明する。
図２６が示すように、表示体９０は、Ｘ方向とＹ方向とに沿って広がる板形状を有し、かつ、Ｚ方向に沿って所定の厚さを有している。表示体９０の凹凸面９０Ｓは、第１領域９１および第２領域９２に加えて、第３領域９３をさらに含んでいる。第３領域９３は、凹凸面９０Ｓにおける位置が第２領域９２とは異なるとともに、複数の面要素を含んでいる。第３領域９３の一部は、第１領域９１の一部と重なっている。すなわち、第３領域９３は、第１領域９１とは重ならない第１部分９３ａと、第１領域９１と重なる第２部分９３ｂとを含んでいる。
【０１３８】
凹凸面９０Ｓは、第４領域９４をさらに含んでいる。第４領域９４は、凹凸面９０Ｓにおける位置が第２領域９２とは異なるとともに、複数の面要素を含んでいる。第４領域９４の一部は、第１領域９１の一部と重なっている。すなわち、第４領域９４は、第１領域９１とは重ならない第１部分９４ａと、第１領域９１と重なる第２部分９４ｂとから構成されている。
【０１３９】
凹凸面９０Ｓにおいて、第３領域９３の一部、および、第４領域９４の一部が、それぞれ第１領域９１の一部と重なり、凹凸面９０Ｓのうち、第１領域９１、第３領域９３、および、第４領域９４以外の部分を第２領域９２が埋めている。
【０１４０】
言い換えれば、第１領域９１は、第１部分９１ａ、第２部分９１ｂ、および、第３部分９１ｃから構成されている。第１部分９１ａは、第３領域９３および第４領域９４のいずれとも重ならない部分である。第２部分９１ｂは、第３領域９３の一部と重なる部分であって、第３領域９３の第２部分９３ｂと同一の部分である。第３部分９１ｃは、第４領域９４の一部と重なる部分であって、第４領域９４の第２部分９４ｂと同一の部分である。
【０１４１】
凹凸面９０Ｓにおいて、第３領域９３の第１部分９３ａ、第１領域９１、および、第４領域９４の第１部分９４ａが、Ｙ方向と交差する配列方向に沿って並んでいる。Ｙ方向と配列方向とが形成する角度は、およそ４５度である。なお、表示体９０において、第１領域９１、第３領域９３、および、第４領域９４が、Ｘ方向およびＹ方向に対してこのように並ぶ状態が、表示体９０の初期状態である。
【０１４２】
第１領域９１、第３領域９３、および、第４領域９４の各々は、互いに異なる形状を有している。各領域は、各領域が有する形状とほぼ同一の形状を有した像を各領域から射出する光によって形成する。第１領域９１は、人の笑顔を模式的に表現する形状を有し、第３領域９３は星形状を有し、第４領域９４は太陽を表現する形状を有している。
【０１４３】
［面要素の構成］
図２７から図３１を参照して各領域が備える面要素の構成を説明する。第１実施形態と同様、表示体９０は、反射層と凹凸構造層とを備える構成であり、凹凸構造層の凹凸面が有する形状を表示体９０の凹凸面９０Ｓが有する形状であると見なすことができる。そのため、以下では、凹凸構造層を用いて表示体の面要素の構成を説明する。
【０１４４】
また、第２領域９２が備える複数の面要素は、第１実施形態の表示体１０と同様、円錐面である第２面要素である。そのため、以下では、第２領域９２が備える面要素の構成についての説明を省略する。
【０１４５】
図２７は、凹凸構造層が備える第１凸部１０１を上面視した平面構造を示している。
図２７が示すように、第１凸部１０１の表面が第１面要素１０２であり、第１面要素１０２は、１つの曲面部１０２ａ、および、１つの平面部１０２ｂから構成されている。第１面要素１０２は、第１面要素１０２における平面部１０２ｂの位置によって、第１定点に向けて平面部１０２ｂが光を射出するように構成されている。
【０１４６】
第１面要素１０２は、第１実施形態の第１面要素３１と同様、仮想的な円錐面Ｃに基づく形状を有し、頂点１０２ｃを有している。平面部１０２ｂは三角形状を有し、ＺＸ平面に対して所定の傾きを有した平面に沿って延びている。頂点１０２ｃを通り、かつ、Ｚ方向に沿って延びる直線を回転軸とするとき、頂点１０２ｃと対向する平面視において、平面部１０２ｂは、回転軸の周方向において、所定の方向に面している。
【０１４７】
図２８は、凹凸構造層が備える第３凸部１０３を上面視した平面構造を示している。凹凸構造層は複数の第３凸部１０３を備え、各第３凸部１０３は、他の全ての第３凸部１０３と互いに同一の形状を有している。
【０１４８】
図２８が示すように、第３凸部１０３の表面が第３面要素１０４であり、第３面要素１０４は、曲面部１０４ａと、平面部１０４ｂとを含んでいる。第３面要素１０４は、第３面要素１０４における平面部１０４ｂの位置によって、第１定点とは異なる第２定点に向けて第３面要素１０４の平面部１０４ｂが光を射出するように構成されている。第３領域９３のうち、第１領域９１とは重ならない部分である第１部分９３ａに含まれる面要素は、第３面要素１０４である。すなわち、第３領域９３は、面要素として第３面要素１０４のみを含んでいる。
【０１４９】
第３面要素１０４は、第１面要素１０２と同様、仮想的な円錐面Ｃに基づく形状を有し、頂点１０４ｃを有している。平面部１０４ｂは三角形状を有し、ＺＹ平面に対して所定の傾きを有した平面に沿って延びている。頂点１０４ｃを通り、かつ、Ｚ方向に沿って延びる直線を回転軸とするとき、頂点１０４ｃと対向する平面視において、平面部１０４ｂが向く方向と、第１面要素１０２の平面部１０２ｂが向く方向とは、回転軸の周方向において左回りに９０度だけ異なっている。
【０１５０】
図２９は、凹凸構造層が備える第４凸部１０５を上面視した平面構造を示している。凹凸構造層は複数の第４凸部１０５を備え、各第４凸部１０５は、他の全ての第４凸部１０５と互いに同一の形状を有している。
【０１５１】
図２９が示すように、第４凸部１０５の表面が第４面要素１０６であり、第４面要素１０６は、曲面部１０６ａ、第１平面部１０６ｂ、および、第２平面部１０６ｃを含んでいる。第４面要素１０６は、第４面要素１０６における第１平面部１０６ｂの位置によって、第１定点に向けて光を射出するとともに、第４面要素１０６における第２平面部１０６ｃの位置によって、第２定点に向けて光を射出するように構成されている。第１領域９１のうち、第３領域９３と重なる部分である第２部分９１ｂに含まれる面要素は、第４面要素１０６である。すなわち、第１領域９１の第２部分９１ｂ、言い換えれば第３領域９３の第２部分９３ｂは、面要素として第４面要素１０６のみを含んでいる。
【０１５２】
第４面要素１０６は、第１面要素１０２と同様、仮想的な円錐面Ｃに基づく形状を有し、頂点１０６ｄを有している。第１平面部１０６ｂは三角形状を有し、ＺＸ平面に対して所定の傾きを有する平面に沿って延びている。第１平面部１０６ｂが向く方向は、第１面要素１０２の平面部１０２ｂが向く方向と互いに等しい。
【０１５３】
これに対して、第２平面部１０６ｃは三角形状を有し、ＺＹ平面に対して所定の傾きを有する平面に沿って延びている。第２平面部１０６ｃが向く方向は、第１平面部１０６ｂと互いに異なっている。頂点１０６ｄを通り、かつ、Ｚ方向に沿って延びる直線を回転軸とするとき、頂点１０６ｄと対向する平面視において、第２平面部１０６ｃが向く方向と、第１平面部１０６ｂが向く方向とは、回転軸の周方向において左回りに９０度だけ異なっている。
【０１５４】
回転軸の周方向において、第１平面部１０６ｂと第２平面部１０６ｃとが接し、曲面部１０６ａは、第１平面部１０６ｂと第２平面部１０６ｃとに接している。言い換えれば、回転軸の周方向において、曲面部１０６ａは、第１平面部１０６ｂと第２平面部１０６ｃとに挟まれている。
【０１５５】
図３０は、凹凸構造層が備える第５凸部１０７を上面視した平面構造を示している。凹凸構造層は複数の第５凸部１０７を備え、各第５凸部１０７は、他の全ての第５凸部１０７と互いに同じ形状を有している。
【０１５６】
図３０が示すように、第５面要素１０８は、曲面部１０８ａと、平面部１０８ｂとを含んでいる。第５面要素１０８は、第５面要素１０８における平面部１０８ｂの位置によって、第１定点、および、第２定点とは異なる第３定点に向けて第５面要素１０８の平面部１０８ｂが光を射出するように構成されている。第４領域９４のうち、第１領域９１とは重ならない部分である第１部分９４ａに含まれる面要素は、第５面要素１０８である。すなわち、第４領域９４の第１部分９４ａは、面要素として第５面要素１０８のみを含んでいる。
【０１５７】
第５面要素１０８は、第１面要素１０２と同様、仮想的な円錐面Ｃに基づく形状を有し、頂点１０８ｃを有している。平面部１０８ｂは三角形状を有し、ＺＸ平面に対して所定の傾きを有した平面に沿って延びている。頂点１０８ｃを通り、かつ、Ｚ方向に沿って延びる直線を回転軸とするとき、頂点１０８ｃと対向する平面視において、平面部１０８ｂの向く方向は、回転軸の周方向において、第１面要素１０２の平面部１０２ｂの向く方向に対して左回りに１８０度だけ異なっている。平面部１０８ｂの向く方向は、頂点１０８ｃと対向する平面視において、第３面要素１０４の平面部１０４ｂの向く方向に対して、回転軸の周方向において左回りに９０度だけ異なっている。
【０１５８】
図３１は、凹凸構造層が備える第６凸部１０９を上面視した平面構造を示している。凹凸構造層は、複数の第６凸部１０９を備え、各第６凸部１０９は、他の全ての第６凸部１０９と互いに同一の形状を有している。
【０１５９】
図３１が示すように、第６凸部１０９の表面が第６面要素１１０であり、第６面要素１１０は、曲面部１１０ａ、第１平面部１１０ｂ、および、第２平面部１１０ｃを含んでいる。第６面要素１１０は、第６面要素１１０における第１平面部１１０ｂの位置によって、第１定点に向けて光を射出するとともに、第６面要素１１０における第２平面部１１０ｃの位置によって、第２定点に向けて光を射出するように構成されている。第１領域９１のうち、第４領域９４と重なる部分である第３部分９１ｃに含まれる面要素は、第６面要素１１０である。すなわち、第１領域９１の第３部分９１ｃ、言い換えれば第４領域９４の第２部分９４ｂは、面要素として第６面要素１１０のみを含んでいる。
【０１６０】
第６面要素１１０は、第１面要素１０２と同様、仮想的な円錐面Ｃに基づく形状を有し、頂点１１０ｄを有している。第１平面部１１０ｂは三角形状を有し、ＺＸ平面に対して所定の傾きを有する平面に沿って延びている。第１平面部１１０ｂが向く方向は、第１面要素１０２の平面部１０２ｂが向く方向と互いに等しい。
【０１６１】
これに対して、第２平面部１１０ｃは三角形状を有し、ＺＸ平面に対して所定の傾きを有する平面に沿って延びている。頂点１１０ｄを通り、かつ、Ｚ方向に沿って延びる直線を回転軸とするとき、頂点１１０ｄと対向する平面視において、第２平面部１１０ｃが向く方向は、第１平面部１１０ｂが向く方向に対して、回転軸の周方向において左周りに１８０度だけ異なっている。
【０１６２】
第６面要素１１０において、第１平面部１１０ｂと第２平面部１１０ｃとの間に曲面部１１０ａが位置している。第６面要素１１０の曲面部１１０ａは、第１部分１１０ａ１と第２部分１１０ａ２とから構成され、回転軸の周方向において、平面部と、曲面部１１０ａの一部とが交互に並んでいる。すなわち、回転軸の周方向において、第１平面部１１０ｂ、曲面部１１０ａの第１部分１１０ａ１、第２平面部１１０ｃ、および、曲面部１１０ａの第２部分１１０ａ２がこの順に並んでいる。
【０１６３】
第１平面部１１０ｂと第２平面部１１０ｃとが接していないため、第１平面部と第２平面部とが接する構成と比べて、第１平面部１１０ｂから射出された光と、第２平面部１１０ｃから射出された光との両方が、観察者によって同時に視認される可能性を低くすることができる。それゆえに、第１平面部１１０ｂが形成する像と、第２平面部１１０ｃが形成する像との混合が抑えられ、第１平面部１１０ｂが形成する像と、第２平面部１１０ｃが形成する像との視認性をそれぞれ高めることができる。
【０１６４】
なお、第２領域９２が備える複数の面要素は、第１実施形態の表示体１０と同様、円錐面である第２面要素であって、第２面要素の全体が曲面部によって構成されている。そのため、第２面要素は、上述した第１定点だけでなく、第２定点、および、第３定点に向けて曲面部から光を射出するように構成されている。
【０１６５】
［表示体の作用］
図３２から図３５を参照して表示体の作用を説明する。以下では、凹凸面９０Ｓと対向する平面視において、凹凸面９０Ｓの中心を通り、かつ、Ｚ方向に沿って延びる直線を回転軸Ｒに設定し、観察者が表示体９０を視認する点および視認する方向を固定した状態で、回転軸Ｒを中心に表示体９０を回転させたときの表示体９０の作用を説明する。
【０１６６】
図３２が示すように、表示体９０が初期状態であるとき、第１面要素１０２の平面部１０２ｂ、第４面要素１０６の第１平面部１０６ｂ、および、第６面要素１１０の第１平面部１１０ｂが、観察者に向けて光を射出することができる。
【０１６７】
これに対して、第３面要素１０４の平面部１０４ｂ、第４面要素１０６の第２平面部１０６ｃ、第５面要素１０８の平面部１０８ｂ、および、第６面要素１１０の第２平面部１１０ｃは、観察者に向けて光を射出することができない。一方で、第３面要素１０４の曲面部１０４ａ、および、第５面要素１０８の曲面部１０８ａは、観察者に向けて光を射出することができる。
【０１６８】
そのため、第１領域９１から観察者に向けて射出される光の単位面積当たりの光量が、凹凸面９０Ｓにおける第１領域９１以外の部分から観察者に向けて射出される光の単位面積当たりの光量よりも大きくなる。それゆえに、観察者は、第１領域９１が形成する像と、凹凸面９０Ｓにおける第１領域９１以外の部分が形成する像とを視認することができる。
【０１６９】
図３３が示すように、回転軸Ｒを中心に表示体９０を右回りに９０度だけ回転させる。第３面要素１０４の平面部１０４ｂ、および、第４面要素１０６の第２平面部１０６ｃの各々が向く方向は、回転軸Ｒの周方向において、第１面要素１０２の平面部１０２ｂに対して左回りに９０度だけ異なっている。
【０１７０】
そのため、第３面要素１０４の平面部１０４ｂ、および、第４面要素１０６の第２平面部１０６ｃが、観察者に向けて光を照射することができる。これに対して、第１面要素１０２、第５面要素１０８、および、第６面要素１１０では、各面要素の曲面部が、観察者に向けて光を照射することができる。
【０１７１】
それゆえに、第３領域９３から観察者に向けて射出される光の単位面積当たりの光量が、凹凸面９０Ｓにおける第３領域９３以外の部分から観察者に向けて射出される光の単位面積当たりの光量よりも大きくなる。結果として、観察者は、第３領域９３が形成する像と、凹凸面９０Ｓにおける第３領域９３以外の部分が形成する像とを視認することができる。
【０１７２】
図３４が示すように、回転軸Ｒを中心に表示体９０を右回りにさらに９０度だけ回転させる。すなわち、初期状態に対して、回転軸Ｒを中心に表示体９０を右回りに１８０度だけ回転させる。
【０１７３】
第５面要素１０８の平面部１０８ｂ、および、第６面要素１１０の第２平面部１１０ｃの各々が向く方向は、回転軸Ｒの周方向において、第１面要素１０２の平面部１０２ｂに対して左回りに１８０度だけ異なっている。
【０１７４】
そのため、第５面要素１０８の平面部１０８ｂ、および、第６面要素１１０の第２平面部１１０ｃが、観察者に向けて光を射出することができる。これに対して、第１面要素１０２、第３面要素１０４、および、第４面要素１０６では、各面要素の曲面部が、観察者に向けて光を射出することができる。
【０１７５】
それゆえに、第４領域９４から観察者に向けて射出される光の単位面積当たりの光量が、凹凸面９０Ｓにおける第４領域９４以外の部分から観察者に向けて射出される光の単位面積当たりの光量よりも大きくなる。結果として、観察者は、第４領域９４が形成する像と、凹凸面９０Ｓにおける第４領域９４以外の部分が形成する像とを視認することができる。
【０１７６】
図３５が示すように、回転軸Ｒを中心に表示体９０を右回りにさらに９０度だけ回転させる。すなわち、初期状態に対して、回転軸Ｒを中心に表示体９０を右回りに２７０度だけ回転させる。
【０１７７】
ここで上述したように、凹凸面９０Ｓに含まれる各面要素には、第１面要素１０２の平面部１０２ｂが向く方向に対して、回転軸Ｒの周方向において、左回りに２７０度だけ向く方向が異なる平面部が含まれていない。そのため、凹凸面９０Ｓに含まれる全ての面要素において、曲面部が観察者に向けて光を射出する。それゆえに、観察者は、凹凸面９０Ｓの全体によって形成される１つの像を視認することができる。
【０１７８】
以上説明したように、表示体の第４実施形態によれば、上述した（１）の効果に加えて、以下に記載の効果を得ることができる。
（５）１つの第４面要素１０６を用いて、第１定点に向けて射出される光によって形成される像の一部と、第２定点に向けて射出される光によって形成される像の一部とを形成させることができる。
【０１７９】
（６）第１平面部１１０ｂから射出された光と、第２平面部１１０ｃから射出された光との両方が、観察者によって同時に視認される可能性を低くすることができ、第１平面部１１０ｂが形成する像と、第２平面部１１０ｃが形成する像との視認性をそれぞれ高めることができる。
【０１８０】
［第４実施形態の変形例］
・凹凸面９０Ｓは、第１領域９１と第２領域９２以外に、少なくとも１つの領域であって、凹凸面９０Ｓにおける位置が、第１領域９１と重なる領域を有していればよい。そして、第１領域９１とその他の領域とが重なる部分が、面要素として第４面要素を含む構成であればよい。こうした構成によれば、上述した（５）と同等の効果を得ることはできる。
【０１８１】
・第１面要素１０２、第３面要素１０４、第４面要素１０６、第５面要素１０８、および、第６面要素１１０の間において、各面要素が備える平面部における傾斜角θおよび面積の少なくとも一方が互いに異なってもよい。こうした構成によれば、第１領域９１、第３領域７３、および、第４領域９４がそれぞれ形成する像の間において、像の明度を互いに異ならせることができる。
【０１８２】
・第４面要素１０６が備える第１平面部１０６ｂと第２平面部１０６ｃとの間において、傾斜角θおよび面積の少なくとも一方が互いに異なってもよい。また、第６面要素１１０が備える第１平面部１１０ｂと第２平面部１１０ｃとの間において、傾斜角θおよび面積の少なくとも一方が互いに異なってもよい。こうした構成によれば、各面要素において、第１平面部が形成する像と、第２平面部が形成する像との間において、像の明度を互いに異ならせることができる。
【０１８３】
・第２実施形態の構成と組み合わせて実施してもよい。すなわち、各面要素は、円錐台面に基づく形状を有し、かつ、合成用平面部を有する構成であってもよい。こうした構成であっても、凹凸面９０Ｓが第３領域９３を含み、かつ、第３領域９３の一部が第１領域９１と重なるとともに、第３領域９３に含まれる面要素が第４面要素であればよい。こうした構成であっても、上述した（５）と同等の効果を得ることはできる。
【０１８４】
・凹凸面９０Ｓが含む複数の領域のうち、第２領域９２を除く領域において、各領域が有する形状が、他の全ての領域が有する形状と同一であってもよい。こうした構成であっても、上述した（５）と同等の効果を得ることはできる。
【０１８５】
・１つの面要素が、向く方向が互いに異なる３以上の平面部を備えてもよい。こうした構成では、１つの面要素から３つ以上の定点に向けて光を射出することができる。すなわち、１つの面要素が、互いに異なる３つの像を形成するための光を射出することができる。
【符号の説明】
【０１８６】
１０，４０，６０，７０，９０…表示体、１０Ｓ，２２Ｓ，４２Ｓ，６０Ｓ，７０Ｓ，９０Ｓ…凹凸面、１１，６１，７１，９１…第１領域、１１ａ，３１，５２，８２，１０２…第１面要素、１２，６２，７２，９２…第２領域、１２ａ，３２，５４…第２面要素、２１，４１…基材、２２，４２…凹凸構造層、２２ａ，５１，８１，１０１…第１凸部、２２ｂ，５３…第２凸部、２３…反射層、３１ａ，５２ａ，５４ａ，８２ａ，８４ａ，８６ａ，８８ａ，１０２ａ，１０４ａ，１０６ａ，１０８ａ，１１０ａ…曲面部、３１ｂ，５２ｂ，８２ｂ，８４ｂ，８６ｂ，８８ｂ，１０２ｂ，１０４ｂ，１０８ｂ…平面部、３１ｃ，８２ｃ，８４ｃ，８６ｃ，８８ｃ，１０２ｃ，１０４ｃ，１０６ｄ，１０８ｃ，１１０ｄ…頂点、４２ａ…第１凹部、４２ｂ…第２凹部、５２ｃ，５４ｂ…合成用平面部、７３，９３…第３領域、７４，９４…第４領域、７５…第５領域、８３，１０３…第３凸部、８４，１０４…第３面要素、８５，１０５…第４凸部、８６，１０６…第４面要素、８７，１０７…第５凸部、８８，１０８…第５面要素、９１ａ，９３ａ，９４ａ，１１０ａ１…第１部分、９１ｂ，９３ｂ，９４ｂ，１１０ａ２…第２部分、９１ｃ…第３部分、１０６ｂ，１１０ｂ…第１平面部、１０６ｃ，１１０ｃ…第２平面部、１０９…第６凸部、１１０…第６面要素、Ｃ…円錐面、Ｌ…正方格子、ＬＰ…格子点、Ｒ…回転軸、ＴＣ…円錐台面。
【図１】
2018004944.tif 000003
【図２】
2018004944.tif 000004
【図３】
2018004944.tif 000005
【図４】
2018004944.tif 000006
【図５】
2018004944.tif 000007
【図６】
2018004944.tif 000008
【図７】
2018004944.tif 000009
【図８】
2018004944.tif 000010
【図９】
2018004944.tif 000011
【図１０】
2018004944.tif 000012
【図１１】
2018004944.tif 000013
【図１２】
2018004944.tif 000014
【図１３】
2018004944.tif 000015
【図１４】
2018004944.tif 000016
【図１５】
2018004944.tif 000017
【図１６】
2018004944.tif 000018
【図１７】
2018004944.tif 000019
【図１８】
2018004944.tif 000020
【図１９】
2018004944.tif 000021
【図２０】
2018004944.tif 000022
【図２１】
2018004944.tif 000023
【図２２】
2018004944.tif 000024
【図２３】
2018004944.tif 000025
【図２４】
2018004944.tif 000026
【図２５】
2018004944.tif 000027
【図２６】
2018004944.tif 000028
【図２７】
2018004944.tif 000029
【図２８】
2018004944.tif 000030
【図２９】
2018004944.tif 000031
【図３０】
2018004944.tif 000032
【図３１】
2018004944.tif 000033
【図３２】
2018004944.tif 000034
【図３３】
2018004944.tif 000035
【図３４】
2018004944.tif 000036
【図３５】
2018004944.tif 000037